【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
無線信号を受信することと、
前記無線信号に関連する少なくとも1つのチャンネル条件を評価することと、
前記受信信号を処理するために前記評価に基づいて高性能受信機および低電力受信機のうちの1つを選択し、前記低電力受信機が選択されたとき、前記低電力受信機が前記低電力受信機の構成中に前記信号の一部を受信している間、前記高性能受信機を用いて前記受信信号の処理を継続することと、
を備えた方法。
【請求項２】
前記チャンネル条件が好ましくない場合、前記受信信号を前記高性能受信機で処理することをさらに備えた、請求項1に記載の方法。
【請求項３】
前記チャンネル条件が好ましい場合、前記受信信号を前記低電力受信機で処理することをさらに備えた、請求項1に記載の方法。
【請求項４】
前記チャンネル条件を評価することは、前記受信信号の強度、前記受信信号に含まれた雑音のレベル、および前記受信信号に隣接する少なくとも1つの妨害信号の強度を検知することを備えた、請求項1に記載の方法。
【請求項５】
前記チャンネル条件を評価することは、前記受信信号に関する受信信号強度表示(RSSI)を生成することと、生成した前記RSSIを閾値RSSIレベルと比較することと、前記比較に基づいて前記チャンネル条件を評価することとを備えた、請求項1に記載の方法。
【請求項６】
前記チャンネル条件を評価することは、前記受信信号に関するインバンドノイズ・レベルを生成することと、生成した前記インバンドノイズ・レベルを閾値雑音レベルと比較することと、前記比較に基づいて前記チャンネル条件を評価することとを備えた、請求項1に記載の方法。
【請求項７】
前記チャンネル条件を評価することは、前記受信信号に関する少なくとも1つの妨害信号の強度レベルを生成することと、生成した前記強度レベルを閾値強度レベルと比較することと、前記比較に基づいて前記チャンネル条件を評価することとを備えた、請求項1に記載の方法。
【請求項８】
無線通信装置(WCD)内の前記高性能受信機はゼロ中間周波数(ZIF)受信機を備え、前記WCD内の前記低電力受信機は低中間周波数(LIF)受信機を備えた、請求項1に記載の方法。
【請求項９】
前記高性能受信機および低電力受信機のうちの1つを選択することは、
前記チャンネル条件が好ましくない場合に、前記受信信号を前記高性能受信機に供給することと、
前記チャンネル条件が好ましい場合に、電力スプリッタを介して、前記受信信号の第１の部分を前記高性能受信機に、前記受信信号の第２の部分を前記低電力受信機に供給し、前記高性能受信機をシャットダウンすることと、
を備えた、請求項1に記載の方法。
【請求項１０】
前記チャンネル条件の評価の間、前記高性能受信機で前記受信信号を最初に処理することをさらに備えた、請求項1に記載の方法。
【請求項１１】
前記チャンネル条件の評価の間に前記高性能受信機で前記受信信号を最初に処理することと、
前記チャンネル条件が好ましくない場合、前記受信信号を前記高性能受信機に供給することと、
前記チャンネル条件が好ましい場合に、電力スプリッタを介して、前記受信信号の第１の部分を前記高性能受信機に、前記受信信号の第２の部分を前記低電力受信機に供給することと、
をさらに備えた、請求項１に記載の方法。
【請求項１２】
前記電力スプリッタを介して前記受信信号の第１の部分を前記高性能受信機に供給し前記受信信号の第２の部分を前記低電力受信機に供給することで前記低電力受信機を構成することをさらに備えた、請求項11に記載の方法。
【請求項１３】
前記低電力受信機を構成することは、前記低電力受信機のイメージ除去を改善すること、前記低電力受信機の中間周波数を変更すること、前記低電力受信機の重要な要素の線形性を変更すること、および前記低電力受信機に結合された可変減衰器を調節することのうちの少なくとも1つを備えた、請求項12に記載の方法。
【請求項１４】
前記低電力受信機を構成することで、前記低電力受信機が前記低電力受信機に供給された前記受信信号の前記部分を使用して前記受信信号を確実に処理することができるかどうかを決定することをさらに備えた、請求項12に記載の方法。
【請求項１５】
前記低電力受信機が前記受信信号を確実に処理することができると決定することで、前記高性能受信機から前記低電力受信機に信号処理をハンドオフするために前記高性能受信機をシャットダウンすることをさらに備えた、請求項14に記載の方法。
【請求項１６】
前記低電力受信機で前記受信信号を処理する間に前記チャンネル条件を評価することをさらに備えた、請求項15に記載の方法。
【請求項１７】
前記高性能受信機および前記低電力受信機は共通の低雑音増幅器を利用し、さらに、前記チャンネル条件が閾値レベルを超える場合に前記共通の低雑音増幅器をバイパスすることを備えた、請求項16に記載の方法。
【請求項１８】
前記チャンネル条件が好ましくなくなる場合に、前記低電力受信機から前記高性能受信機にハンドオフを行なうことをさらに備えた、請求項16に記載の方法。
【請求項１９】
前記高性能受信機の出力をRAKE復調器中の第１の複数のRAKEフィンガーを介して復調することと、前記低電力受信機の出力を前記RAKE復調器中の第２の複数のRAKEフィンガーを介して復調することとをさらに備えた、請求項1に記載の方法。
【請求項２０】
無線信号を受信するアンテナと、
前記アンテナに結合された高性能受信機と、
前記アンテナに結合された低電力受信機と、
前記無線信号に関連した少なくとも1つのチャンネル条件を評価し、前記評価に基づいて、前記受信信号を処理するために前記高性能受信機および前記低電力受信機のうちの1つを選択し、前記低電力受信機が選択されたとき、前記低電力受信機の構成のために前記信号の少なくとも一部を前記低電力受信機に供給し、一方、前期低電力受信機の構成中に前記高性能受信機を用いて前記受信信号の処理を継続する、コントローラと、
を備えた無線通信装置(WCD)。
【請求項２１】
前記コントローラは、前記チャンネル条件が好ましくない場合、前記受信信号を処理するために前記高性能受信機を選択する、請求項20に記載の装置。
【請求項２２】
前記コントローラは、前記チャンネル条件が好ましい場合、前記受信信号を処理するために前記低電力受信機を選択する、請求項20に記載の装置。
【請求項２３】
前記チャンネル条件を評価するために、前記コントローラは、前記受信信号の強度、前記受信信号に含まれた雑音のレベル、および前記受信信号に隣接する少なくとも1つの妨害信号の強度を検知する、請求項20に記載の装置。
【請求項２４】
前記チャンネル条件を評価するために、前記コントローラは、前記受信信号に関する受信信号強度表示(RSSI)を生成し、前記RSSIを閾値RSSIレベルと比較し、前記比較に基づいて前記チャンネル条件を評価する、請求項20に記載の装置。
【請求項２５】
前記チャンネル条件を評価するために、前記コントローラは、前記受信信号に関するインバンドノイズ・レベルを生成し、前記インバンドノイズ・レベルを閾値雑音のレベルと比較し、前記比較に基づいて前記チャンネル条件を評価する、請求項20に記載の装置。
【請求項２６】
前記チャンネル条件を評価するために、前記コントローラは、前記受信信号に関する少なくとも1つの妨害信号の強度レベルを生成し、前記強度レベルを閾値強度レベルと比較し、前記比較に基づいて前記チャンネル条件を評価する、請求項20に記載の装置。
【請求項２７】
前記WCD内の前記高性能受信機はゼロ中間周波数(ZIF)受信機を備え、前記WCD内の前記低電力受信機は低中間周波数(LIF)受信機を備えた、請求項20に記載の装置。
【請求項２８】
前記コントローラによってコントロールされ、前記チャンネル条件が好ましくない場合に第１のスイッチ状態で前記受信信号を前記高性能受信機に供給するスイッチと、
前記スイッチが第２のスイッチ状態のときに、前記受信信号の第１の部分を前記高性能受信機に供給し前記受信信号の第２の部分を前記低電力受信機に供給する電力スプリッタと、
をさらに備え、
前記コントローラは、前記チャンネル条件が好ましい場合に前記高性能受信機をシャットダウンする、請求項20に記載の装置。
【請求項２９】
前記高性能受信機は、前記チャンネル条件の評価の間に前記受信信号を最初に処理する、請求項20に記載の装置。
【請求項３０】
前記高性能受信機は前記チャンネル条件の評価の間に受信信号を最初に処理し、
前記装置はさらに、
前記コントローラによってコントロールされ、前記チャンネル条件が好ましくない場合に第１のスイッチ状態で前記受信信号を前記高性能受信機に供給するスイッチと、
前記チャンネル条件が好ましい場合に、前記スイッチが第２のスイッチ状態で、前記受信信号の第１の部分を前記高性能受信機に供給し、第２の部分を前記低電力受信機に供給する電力スプリッタと、
を備えた、請求項20に記載の装置。
【請求項３１】
前記電力スプリッタを介して前記受信信号の第１の部分が前記高性能受信機に供給され、かつ前記受信信号の第２の部分が前記低電力受信機に供給されている間に前記コントローラが前記低電力受信機を構成する、請求項30に記載の装置。
【請求項３２】
前記低電力受信機を構成するために、前記コントローラは、前記低電力受信機のイメージ除去の改善、前記低電力受信機の中間周波数の変更、前記低電力受信機の重要な要素の線形性の変更、および前記低電力受信機に結合された可変減衰器の調節のうちの少なくとも1つを実行する、請求項31に記載の装置。
【請求項３３】
前記コントローラは、前記低電力受信機が構成されると、前記低電力受信機が前記低電力受信機に供給された前記受信信号の前記部分を使用して前記受信信号を確実に処理することができるかどうかを決定する、請求項31に記載の装置。
【請求項３４】
前記コントローラは、前記低電力受信機が前記受信信号を確実に処理することができると決定されると、前記高性能受信機から前記低電力受信機に信号処理をハンドオフするために前記高性能受信機をシャットダウンする、請求項33に記載の装置。
【請求項３５】
前記コントローラは、前記低電力受信機で前記受信信号を処理している間に前記チャンネル条件を評価する、請求項34に記載の装置。
【請求項３６】
前記高性能受信機および前記低電力受信機は共通の低雑音増幅器を利用し、前記装置はさらに、前記チャンネル条件が閾値レベルを超える場合に前記共通の低雑音増幅器をバイパスするためのバイパススイッチを備える、請求項35に記載の装置。
【請求項３７】
前記コントローラは、前記チャンネル条件が好ましくなくなると、前記低電力受信機から前記高性能受信機にハンドオフを行なう、請求項36に記載の装置。
【請求項３８】
前記高性能受信機の出力に結合された第１の複数のRAKEフィンガーと前記低電力受信機の出力に結合された第2の複数のRAKEフィンガーとを有するRAKE復調器をさらに備えた、請求項20に記載の装置。
【請求項３９】
無線信号を受信するアンテナと、
前記アンテナに結合された高性能ゼロ中間周波数(ZIF)受信機と、
前記アンテナに結合された低電力低中間周波数(LIF)受信機と、
前記高性能ZIF受信機の出力に結合された第１の複数のフィンガーと前記低電力LIF受信機の出力に結合された第２の複数のフィンガーとを有するRAKE復調器と、
前記無線信号に関連した少なくとも1つのチャンネル条件を評価し、前記チャンネル条件が好ましい場合は前記受信信号を処理するために前記低電力LIF受信機を選択し、前記チャンネル条件が好ましくない場合は前記受信信号を処理するために前記高性能ZIF受信機を選択するコントローラと、
を備えた無線通信装置(WCD)。
【請求項４０】
前記少なくとも1つのチャンネル条件は、受信信号の強度、信号の雑音、妨害信号の強度のうちの少なくとも1つを含む、請求項39に記載の装置。